Podtech/llm-jp-corpus-v4-ja_patent huggingface dataset:
(57)【要約】      （修正有）【課題】手や着類便器を汚さず、着類を着けたまま楽な体勢で排便処理ができ、また介護を受ける状態になった場合も、人の手をあまり煩わせること無く処理できる排便処理袋を提供する。【解決手段】排便処理袋に、人工肛門蓄便袋の排便口を拭く排便口拭きを設ける。排便口拭きは縦にギャザーを設けた円筒形を蛇腹折にして２の位置でまとめたＤである。【選択図】図１
0003134646.tif 000002
【実用新案登録請求の範囲】
【請求項１】
人工肛門蓄便袋の排便口の汚れを拭取る、排便口拭きを設けたことを特徴とする排便処理袋。
【請求項２】
前記排便口拭きは、縦にギャザーを設けた円筒形を特徴とする請求項１記載の排便処理袋。
【請求項３】
請求項１記載の排便口拭きは、円筒形を蛇腹折にしたことを特徴とする請求項１記載の排便処理袋。
【考案の詳細な説明】
【技術分野】
【０００１】  この考案は、人工肛門蓄便袋の排便処理に用いる、排便処理袋の形状に関する。
【背景技術】
【０００２】  従来、人工肛門蓄便袋の排便処理に用いる袋は無かった。
【考案の開示】
【考案が解決しようとする課題】
【０００３】  しかしながら、人工肛門蓄弁袋から直接排便処理すると手や着類、便器も汚しやすく、和式トイレは勿論洋式トイレでも下着や服を脱ぐことになる。又無理な体勢で処理しなければならない。それでは特に仕事中や外出時は困る。また介護を受ける状態になった場合介護人の手を煩わせる。
そこで、この考案は手や着類便器を汚さず、着類を着けたまま楽な体勢で排便処理ができ、また介護を受ける状態になった場合も、人の手をあまり煩わせること無く処理できる排便処理袋を、提供することを課題とする。
【課題を解決するための手段】
【０００４】  以上の課題を解決するために、第一考案は、人工肛門蓄便袋の排便口の汚れを拭取る、排便口拭きを設けたことを特徴とする排便処理袋である。
また、第二考案は、排便処理袋に設けてある、人工肛門蓄便袋の汚れを拭取る排便口拭きは、縦にギャザーを設けた円筒形を特徴とする排便処理袋である。
また、第三考案は、排便処理袋に設けてある、人工肛門蓄便袋の汚れを拭取る排便口拭きは、円筒形を蛇腹折にしたことを特徴とする排便処理袋である。
【考案の効果】
【０００５】  第一考案によれば、人工肛門蓄便袋の排便口を直接、排便処理袋の挿入口へ挿入し便を押し出すので手や着類、便器を汚さないし体勢も楽である。排便処理袋に人工肛門蓄便袋の排便口拭きを設けたことで、排便口拭きの内側で人工肛門蓄便袋の排便口を拭くので、手を汚さない。【０００６】  第二考案によれば、人工肛門蓄便袋の排便口拭きは円筒形で、縦にギャザーを設けたことで、使用時排便口を拭くための面積が広がり、また指のかかりも良く拭きやすい。
第三考案によれば、人工肛門蓄便袋の排便口拭きは、円筒形を蛇腹折にしたことで、排便処理袋を下に引けば容易に新しい面が数回引き出せる。
【考案を実施するための最良の形態】
【０００７】  この考案の一実施形態を、図１に示す。
排便処理袋の本体Ａは水に溶ける紙製であり、この本体Ａの側面は、本体Ａの形の紙を２枚合わせた袋で、人工肛門蓄便袋の排便口から便を受け入れる、便受け入れ口Ｂを設けている。また人工肛門蓄便袋の排便口拭き１、Ｄが本体Ａに一体的に設けられている。
この排便口拭きは水に溶ける紙製であり縦にギャザーを設けた円筒形を、蛇腹折にして重ねたＤで、１とＤには段差がある。【０００８】  この考案の実施形態図１の蛇腹折部Ｄを引き伸ばした実施形態を図２に示す。
排便口拭きＡ、Ｃ間を偶数に等分し、Ｅは谷折Ｆは山折する。２で３、４、５、６、７、８が重なる蛇腹折である。【０００９】「実施形態の効果」
この実施形態によれば、１、Ｄに段差があるので人工肛門蓄便袋の排便口をＣより挿入し、１で人工肛門蓄便袋の排便口を手で持って指圧で広げ固定しているので、便を本体Ａに押し出した後、指と１、Ｄの段差がストッパーとなり、本体Ａを引くと、蛇腹折部Ｄの内側から順に引き出せる。【００１０】「他の実施形態」
図２の実施形態ではＡ、Ｃ間は８等分であったが、他の実施形態では、子供用としてＡ、Ｃ間の長さと等分数を変えても良い。但しこの等分数は必ず偶数であること。
【図面の簡単な説明】
【００１１】
【図１】この考案の一実施形態を示す斜視図である。
【図２】この考案の蛇腹折部を引き伸ばした実施形態を示す斜視図である。
【符号の説明】
【００１２】  Ａ        排便処理袋本体                  Ｂ        便受け入れ口
Ｃ        人工肛門蓄便袋排便口の挿入口    Ｄ        蛇腹折部
Ｅ        谷折線                          Ｆ        山折線
１        指固定面                        ２        蛇腹折面重ね位置
３から８  蛇腹折面                        ＢからＣ  ギャザー面
【図１】
0003134646.tif 000003
【図２】
0003134646.tif 000004
(57)【要約】      （修正有）【課題】グリップではヘッドの重みにより手首などに狂いが生じ、体全体のバランスも不安定で、そのため方向性が一定しなかったことを解決する。【解決手段】グリップ１の一部に設けてある平面部２を、一定の方向とならないよう左右段違いの平面部を設けてあり、左手の握りの平面部は下側向きに、右手平面部は右側向きとして、それによってできる丸味部と角部によって、両手の握り具合を変える構造とした。これにより指先・手首などに余分な力が入らないので、首筋や肩がリラックスしてスムーズに打ち出すことができ、ヘッドの重みは感じても重さにブレがないため、手首に負担なく五角形を保ったまま打ち出すことができ、方向性が安定した。【選択図】図１
0003134647.tif 000002
【実用新案登録請求の範囲】
【請求項１】
円筒の棒状のもので柄の側面の一部に平面が設けてあり、その平面のグリップエンド部が下側向きとなり先端部が右側向きとなるようシャフトに装着するもので左右段違いの平面部を設けてあることを特徴としたゴルフパターグリップ
【考案の詳細な説明】
【技術分野】
【０００１】本考案はゴルフパターグリップに関するものでありグリップの柄の形状に工夫を加える事によって真直ぐに打ち出しやすくしたものである。
【背景技術】
【０００２】従来から使用されてるものには卵形でグリップの上部が平面となってるものが一般的である。
【考案の開示】
【考案が解決しようとする課題】
【０００３】グリップの規定により全体が先端部にかけ先細りしたものでなければならないとあるため形状を大きく変えることに制限がある。そのため中尺・長尺のものとかクロスハンドグリップで握るとかいろいろ工夫されてるが慣れるまでが大変である。従来から一般的に使用されてるグリップではボールを芯でとらえるのには適しているがヘッドの重みにより軌道が狂いやすく構えが窮屈であった。これを解決することを課題とする。
【課題を解決するための手段】
【０００４】グリップの一部に設けてある平面部を一定の方向とならないよう左右段違いの平面部を設けてあり左手の握りの平面部は下側向きに、右手平面部は右側向きとして、それによってできる丸味部と角部によって両手の握り具合を変えてこの課題を解決した。
【考案の効果】
【０００５】本考案により指先・手首などに余分な力が入らないので首筋や肩がリラックスしてスムースに打ち出すことができ、ヘッドの重みは感じても重さにブレがないため手首に負担なく五角形を保ったまま打ち出すことにより方向性が安定した。
【考案を実施するための最良の形態】
【０００６】本考案に係るグリップは、図１が示すように段違いに平面２を備えている。それによってできる角部や丸味によって左右の握りに変化を持たせ、手首などを固定できるものとした。全体を先端部にかけ、図３が示すように、なめらかに段差がないよう先細りするものとして仕上げる。
【図面の簡単な説明】
【０００７】
【図１】本考案の平面部が段違いに設けてあるグリップの平面図である。
【図２】本考案グリップ柄の全体の中心部の断面図である。
【図３】丸味部から平面部へ移行するとき徐々に段差を少なくするための部分平面図である。
【図４】従来から使用されてるグリップの平面図である。
【図５】従来から使用されてるグリップの断面図である。
【図６】図４を切断して左右に分け平面部を下側と右側に接合した断面図であり段差のはみ出し部をわかりやすくした図である。
【符号の説明】
【０００８】１    グリップ
２    グリップの平面部
３    はみ出し部
４    シャフト部
【図１】
0003134647.tif 000003
【図２】
0003134647.tif 000004
【図３】
0003134647.tif 000005
【図４】
0003134647.tif 000006
【図５】
0003134647.tif 000007
【図６】
0003134647.tif 000008
(57)【要約】      （修正有）【課題】ペットボトル容器とラベルの分別を消費者が容易に行うことができるための分別リサイクル推進用ペットボトルを提供する。【解決手段】分別リサイクル推進法はペットボトル容器とその外周に付されているラベルの隙間に紙製もしくは樹脂性の物品を挿入することのできるペットボトルである。隙間に物品が封入されていることにより消費者がラベルを剥がして物品を入手するといった剥離段階、分別作業が生まれるのが特徴である。しかし、内部に物品を封入することにより消費者はこの作業を分別という認識ではなく、開封といった認識で進むことができる。これによってペットボトル容器とラベルは必然的に分別された状態になり、最終的に内容品を消費者が手にした段階でメーカーからの分別促進ＰＲであったことも伝わり、消費者への意識付けの一環であることが判明するもので企業ＰＲも兼ねているのも特徴である。【選択図】図２
0003134645.tif 000002
【実用新案登録請求の範囲】
【請求項１】
ペットボトル容器と前記ペットボトル容器の外周に付されているラベルとを備え、前記ペットボトルと前記ラベルとの間に物品が封入されることを特徴とする分別リサイクル推進用ペットボトル。
【考案の詳細な説明】
【技術分野】
【０００１】本考案はペットボトル容器の分別促進に関する。
【背景技術】
【０００２】ペットボトルの容器とラベルは廃棄時に分別を求められており、分別を容易に行うためのペットボトルが考案されている。
【考案の開示】
【考案が解決しようとする課題】
【０００３】しかし依然としてペットボトルとラベルの分別率は低い。全国的には各行政区によりその収集方法も異なっているため家庭からの排出されるものの分別も低調であり、最も効率よくリサイクルが行える、容器とラベルの望ましい分別が進んでいない。全国的にペットボトルの最適な分別がなされていない現状において、限りある資源を有効に利用し続けるためにはメーカー側からの訴求は勿論のこととともに消費者側も分別の必要性を認識していなければならない。だが残念ながら現在の消費者意識におけるペットボトルのリサイクル観は他の廃棄物と分別すればよい、ペットボトルだけをまとめればよいとの意識段階にあるのが実状である。最も望ましい分別意識を根付かせ、自発的に分別を行うように促す手段が求められている。【０００４】本考案は上記のような現状を鑑みてなされたものであり、消費者がペットボトル容器とラベルを容易にかつ必然的に剥がしてしまい、おのずと分別を行える状況を容易に提供し、企業の環境への取り組みも伝えることのできることを方策的課題とする。
【課題を解決するための手段】
【０００５】本考案にかかる方策的課題はペットボトル容器とその外周に貼付されているラベルの隙間に物品を挿入するという方策である。隙間に物品が封入されていることにより消費者がラベルを剥がして物品を入手するといった剥離段階、分別作業が生まれるのが特徴である。しかし内部に物品を封入することにより消費者はこの作業を分別という認識ではなく、開封といった認識で進むことができる。これによってペットボトル容器とラベルは必然的に分別された状態になる。
【考案の効果】
【０００６】本考案により消費者は内容品を入手するためにラベルを必然的に剥がすこととなる。内容物品は消費者ニーズがあるものを用いているので消費者はなんら剥離作業にストレスを感じずに内容品を取り出すために分別してしまっている状況となる。
【考案を実施するための最良の形態】
【０００７】以下実施例を示して本考案の形態と作用について説明する。
【実施例】
【０００８】本考案にかかる分別リサイクル推進用ペットボトル１にはペットボトルとそれに付されるラベル２との間に消費者が容易に識別できるような形態で物品３を封入する。この際の封入方法及び封入場所としてラベル２上部からはみ出していてもあるいは完全に物品３が隠れる状態でも構わない。分別促進の観点からはラベル２上に既に設けられている分別を容易にするための点線切り取り部を含む領域に封入されるのが望ましい。前記の場所に封する物品３には消費者が求めるもの、流行性の強いもの、収集性の高いものを用いることでラベルの剥離作業により違和感を与えることなくかつ継続的に分別作業を促すことができる。
物品３の材質については性質上結露しても影響のない木製（鉛筆等）、樹脂製（人形、小型模型等）もしくは金属製（バッジ等）、布製（ワッペン等）、種苗などが挙げられるが紙製（ポイントシール、ハガキ、カード類）についても表面のコーティング等で利用可能と思われる。
また小型容器（醤油さしなど）を内容品とすれば液体も内容品とすることが可能である。現時点ではペットボトル１とラベル２の隙間は僅かであるがペットボトルの形を工夫することでより形状に趣向を持たせることができ、展開の幅が広がるものと考える。
また、消費者へのＰＲ効果が望めるため、この内容品には添付もしくは記載により環境への取組、考え方を明記しておくことが望ましい。
【産業上の利用可能性】
【０００９】本考案にかかる分別リサイクル推進法はペットボトル商品の最適な分別を促すだけではなく企業の環境への取り組みを消費者へより明確に伝える手段となりうる方策である。現在急速に進行しつつある地球温暖化問題から企業の環境への取り組みが非常に注目されており、消費者の商品選定基準の１つとして企業の環境への取り組み如何が挙げられるほどである。消費者が自然と分別を行ってしまう方法が定着することは資源の有効活用に大変効果的であり、更なる消費拡大、リサイクルにかかる省コスト化にもつながることから産業
【図面の簡単な説明】
【００１０】
【図１】本考案にかかる分別リサイクル推進法使用時のペットボトル容器の側面図である。
【図２】本考案にかかる分別リサイクル推進法使用時のペットボトル容器の斜視図である。
【図３】本考案にかかる分別リサイクル推進法使用時のペットボトル容器の平面図である。
【符号の説明】
１  ペットボトル容器
２  商品ラベル
３  内容物品
【図１】
0003134645.tif 000003
【図２】
0003134645.tif 000004
【図３】
0003134645.tif 000005
(57)【要約】      （修正有）【課題】フッ素樹脂材料およびローラーの粘着合成効果を強化し、剥離状況が発生しないフッ素樹脂ローラー構造を提供する。【解決手段】フッ素樹脂ローラー構造は、ローラー本体１、網状物２およびフッ素樹脂材料３を含み、網状物２が表層２０および底層２１を有し、表層および底層の間に複数の網孔２２を有し、そのうち、網状物の底層２１がローラー本体１の表面に被覆し、フッ素樹脂材料をフィルム形式で網状物の表層に多層巻き付け、フッ素樹脂を融点以上の温度に加熱し、多層のフッ素樹脂フィルムを相互に溶接し網状物にしみ込ませ、それと一体に包み、ローラーとの緊密な結合を達成する。【選択図】図２
0003134680.tif 000002
【実用新案登録請求の範囲】
【請求項１】
ローラー本体、網状物およびフッ素樹脂材料を含み、前記網状物が表層および底層を有し、該表層および底層の間に複数の網孔を有し、前記網状物の底層がローラー本体の表面に被覆且つ固定し、前記フッ素樹脂材料を網状物の表層に多層巻き付け、フッ素樹脂材料を融点以上の温度に加熱し、該多層のフッ素樹脂材料を相互に溶接し、網状物にしみ込ませ、該網状物と一体に包んでなるフッ素樹脂ローラー構造。
【請求項２】
前記網状物が鋼網である請求項１記載のフッ素樹脂ローラー構造。
【請求項３】
前記網状物がローラー本体の表面に溶接固定されてなる請求項１記載のフッ素樹脂ローラー構造。
【請求項４】
前記フッ素樹脂材料がフィルムである請求項１記載のフッ素樹脂ローラー構造。
【考案の詳細な説明】
【技術分野】
【０００１】
本考案は、表面がフッ素樹脂材料で覆われたローラー構造に関し、生産プロセス中、載具に対する洗浄度、または接触面の清潔度の高水準な要求を満足するフッ素樹脂ローラー構造に関する。
【背景技術】
【０００２】
多くの工業製造工程中、高洗浄度、または接触面が高清潔度を有する載具を使用し、例えば、ローラーであり、輸送されるものが汚染を受けるまたは化学変化が起こることがないように確保し、製品の歩留まりを向上させる必要がある。
フッ素樹脂材料は優良な耐化学腐蝕性、低摩擦不粘性および耐温性等の特徴を具備しているので、現在産業の高洗浄度化学製造工程で用いる輸送載具、表面圧力結合等の使用環境に非常に適合している。例えば、主基板または半導体等を製造するハイテク産業では、使用する載具の洗浄度、または接触面の清潔度は、いずれも高水準が要求される。
【０００３】
物件を生産する過程において、ローラーは常用される加工機具であり、その表面は一層のフッ素樹脂材料で覆われ、該ローラーに不粘性および耐腐蝕性の特性を具備させている。
【０００４】
従来は、塗布方式でローラー表面に保護層（例えば、フッ素樹脂材料）を設けてなり、塗装回数の増加に従い、多数回の温度上昇、下降の過程で該保護層に、応力の残留、汚染、および気泡の発生、剥離等の現象が起こり易く、化学腐蝕薬品を浸透し易くさせ、塗布層の寿命を短縮させている。
【特許文献１】特開２００１−３２４８８８号公報
【考案の開示】
【考案が解決しようとする課題】
【０００５】
本考案の目的は、上記従来技術中のローラー塗布回数の制限、厚さ不足、気泡および塗層材料がローラーと剥離し易い等の問題を改善し、更に、製造の需要に従い表面が予め定められたフッ素樹脂材料の厚さで覆われたローラー構造を得て、該フッ素樹脂材料およびローラーの粘着合成効果を強化し、剥離状況が発生しないようにすることである。
【課題を解決するための手段】
【０００６】
その具体的実現方式は、ローラー本体、網状物およびフッ素樹脂材料を含み、前記網状物が表層および底層を有し、表層および底層の間に複数の網孔を有し、そのうち、該網状物の底層がローラー本体の表面に被覆し、フッ素樹脂材料をフィルム形式で網状物の表層に多層巻き付け、フッ素樹脂を融点以上の温度に加熱し、多層のフッ素樹脂フィルムを相互に溶接し網状物にしみ込ませ、それと一体に包み、ローラーとの緊密な結合に有利にしてなるフッ素樹脂ローラー構造である。
【考案の効果】
【０００７】
本考案は、表面に耐化学腐蝕性、耐高温を有し、安定、均一なフッ素樹脂材料のローラー構造を得ることができる。多層のフッ素樹脂フィルムを巻き付け、ローラー表面の網状物２と溶接することで、更にフッ素樹脂材料３とローラー本体１の粘着接合効果を強化することができ、ローラー本体１表面の予め必要とされるフッ素樹脂材料３の厚さの需要に基づくことができる新規且つ実用的なフッ素樹脂ローラー構造を達成する。
【考案を実施するための最良の形態】
【０００８】
図１および図２は、本考案のフッ素樹脂材料ローラーの構造がローラー本体１、網状物２およびフッ素樹脂材料３を含み、前記網状物２は、好適には鋼網であり、表層２０および底層２１を有し、該表層２０および底層２１の間に複数の網孔２２を有する。
【０００９】
前記網状物２の底層２１は、ローラー１の表面を被覆し、その固定方式は溶接を用いることができる。前記フッ素樹脂材料３は、フィルム形式で多層を網状物２の表層２０に巻き付け、フッ素樹脂材料３を融点以上の温度に加熱し、該多層のフッ素樹脂材料３は相互に溶接されるだけではなく、網状物２の網孔２２に容易にしみ込み、該網状物２と一体に包まれ、且つローラー本体１との接合面が増加し、ローラー本体との緊密な結合に更に有利になる。
【００１０】
図３に示すように、実際の製造過程において、多層のフッ素樹脂材料３が加熱溶接される前、予めその外表に無塩ガラス繊維布４を該多層のフッ素樹脂材料３上に巻き付け、２つの張力調整軸５，６を利用し互いに所定の張力を施し両者を緊密に貼り付け、更にフッ素樹脂材料３を加熱融解し、ローター本体と緊密に接合した後、冷却し、前記無塩ガラス繊維布４を除去する。
【００１１】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１２】
【図１】本考案のフッ素樹脂ローラーの平面構造図である。
【図２】本考案のフッ素樹脂ローラーの立体構造図である。
【図３】本考案のフッ素樹脂ローラーを製造する実施例図である。
【符号の説明】
【００１３】
１ ローラー本体
２ 網状物
２０ 網状物の表層
２１ 網状物の底層
２２ 網状物の網孔
３ フッ素樹脂材料
４ 無塩ガラス繊維布
５，６ 張力調整軸
【図１】
0003134680.tif 000003
【図２】
0003134680.tif 000004
【図３】
0003134680.tif 000005
(57)【要約】【課題】複数種類の最終製品を同時封入するに際し、最終製品の混在を防ぎ、平面的袋サイズについても、１製品封入分の大きさにすること。【解決手段】両面熱接着可能なプラスチックフィルムＦを３枚又は４枚重ね合わせ、これらプラスチックフィルムの側縁部３辺を熱接着により製袋加工してなる複数製品の同時収納袋。【選択図】図１
0003134671.tif 000002
【実用新案登録請求の範囲】
【請求項１】
両面熱接着可能なプラスチックフィルムを３枚又は４枚重ね合わせ、これらプラスチックフィルムの側縁部３辺を熱接着により製袋加工してなることを特徴とする複数製品の同時収納袋。
【考案の詳細な説明】
【技術分野】
【０００１】  本考案は、液体、粉・粒体、固体等の最終製品の複数を一度に収納できるプラスチック製袋に関するものである。
【背景技術】
【０００２】  １枚のプラスチック製袋を、開口を保って縦方向にシールすることで、収納部を２分割あるいは３分割できる収納袋が、現状では多数存在している。例えば、図２に示すように、中央部にシール２を形成することで、収納部３及び４に分割された分割袋１を制作することができる。
【考案の開示】
【考案が解決しようとする課題】
【０００３】  ところが、これらの分割袋１は、最終製品封入工程で異種の製品、例えば液体と粉・粒体を混在させることなくそれぞれの収納部３及び４に封入するのには困難を伴ない、また、平面的な袋サイズにしても、複数種類の封入には、その種類分の大きさが必要となり、結果として、大きいサイズのものを使用せざるを得なかった。【０００４】  本考案は、複数種類の最終製品を同時封入するに際し、最終製品の混在を防ぎ、かつ、平面的袋サイズを１製品封入分の大きさにすることを目的としている。
【課題を解決するための手段】
【０００５】  本考案者は、プラスチック製袋の製品収納部を、平面分割せずに複数確保できないか熟慮した結果、収納部を重合連成することで、上記目的を達成することができることを見出し、本考案を完成させた。【０００６】  すなわち本考案は、両面熱接着可能なプラスチックフィルムを３枚又は４枚重ね合わせ、これらプラスチックフィルムの側縁部３辺を熱接着により製袋加工してなることを特徴とする複数製品の同時収納袋である。
【考案の効果】
【０００７】    プラスチック製袋を上記構成にすることで、製品収納部が袋の厚さ方向に連成されるため、複数種類の最終製品を同時封入するに際し、最終製品の混在を防ぐことができ、平面的袋サイズについても、１製品封入分の大きさにすることができる。
【考案を実施するための最良の形態】
【０００８】  本考案に用いられるプラスチックフィルムとしては、例えば、ＰＥ（低密度ポリエチレン、中密度ポリエチレン、高密度ポリエチレン）、ＬＬＤＰＥ（リニアローデンポリエチレン）、ＰＰ又はＣＰＰ（延伸ポリプロピレン、未延伸ポリプロピレン）、ＰＶＣ（塩化ビニル（無可塑・軟質））、ＰＥＴ（ポリエステル）、ＮＹ（ナイロン）、ＰＳ（ポリスチレン）、ＰＶＡ（ビニロン）が挙げられる。また、これらプラスチックフィルムに、上記「ＣＰＰ」や「ＰＥ」、「ＬＬＤＰＥ」又はＡＬ（アルミニウム箔）等の樹脂、金属を二種以上ラミネートした合成樹脂ラミネートフィルムを用いることも可能である。そして、これらプラスチックフィルムの両面には、接着層が形成されている。
【実施例】
【０００９】  以下に、本考案による複数製品の同時収納袋の好ましい実施例を、図１に基づいて説明する。同一サイズのプラスチックフィルムＦは、両面に接着層が形成されており、これらの３枚（ｆ１，ｆ２，ｆ３）が重ね合わされ、その側縁部の３辺が熱接着により製袋加工されて、同時収納袋１０を構成している。したがって、この同時収納袋１０は、袋の厚さ方向に連成された格好で収納部１１及び１２を備えることになる。また、プラスチックフィルムｆ４をさらに重ね入れた場合には、収納部１１及び１２に加え、収納部１３をも備えることができる。このように収納部（１１，１２，１３）が袋の厚さ方向に連成されることで、袋サイズを１製品封入分の大きさにすることができる。【００１０】  上記同時収納袋１０は、これに最終製品を封入する際、例えば収納部１１に液体を、収納部１２に粉・粒体を入れ、開口部を封止することで複数製品を同時封入することが可能となる。その際、収納部１１，１２が連成状態となっていて、それぞれが収納し易い開口になっているため、液体と粉・粒体が混在することなく封入することができる。【００１１】  また、３連成の収納部（１１，１２，１３）を備えた同時収納袋１０の場合には、上記液体、粉・粒体の他、さらに固体、薄葉体などの同時収納も可能である。
【図面の簡単な説明】
【００１２】
【図１】  本考案による複数製品の同時収納袋の正面図である。
【図２】  従来の複数製品の分割収納袋の正面図である。
【符号の説明】
【００１３】１０    同時収納袋
１１，１２，１３    収納部
Ｆ（ｆ１，ｆ２，ｆ３）    プラスチックフィルム
【図１】
0003134671.tif 000003
【図２】
0003134671.tif 000004
(57)【要約】      （修正有）【課題】ヤエン釣りにおいて活餌にアオリイカが喰い付いたとしても、釣り上げることに失敗することを防止する。【解決手段】棒杆２の後方に道糸を通すフック３を設けると共に、前方に掛け針５を設けたイカ釣り用ヤエン仕掛けにおいて、棒杆の前方側に抵抗板６を設けた。また、棒杆の前方を２本以上に枝分かれさせて構成し、ヤエン仕掛けを棒杆の中間部において屈曲可能となした。【選択図】図１
0003134682.tif 000002
【実用新案登録請求の範囲】
【請求項１】
棒杆の後方に道糸を通すフックを設け、前方に掛け針を設けたイカ釣り用ヤエン仕掛けにおいて、棒杆２の前方側に抵抗板６を設けたことを特徴とするイカ釣り用ヤエン仕掛け。
【請求項２】
棒杆２の前方を２本以上に枝分かれさせた請求項１記載のイカ釣り用ヤエン仕掛け。
【請求項３】
棒杆２の中間部において屈曲可能とした請求項１又は２に記載のイカ釣り用ヤエン仕掛け。
【考案の詳細な説明】
【技術分野】
【０００１】
本発明は活餌を用いてイカ釣りを行う際に使用するヤエン仕掛けの改良に関する。  
【背景技術】
【０００２】
イカ釣り殊に大型のアオリイカを釣果として狙う場合には、アジなどの活餌を使用したヤエン釣りが行われることが多い。ここにヤエン釣りとは活餌として道糸の先端に結び付けたアジ等を投げ込み、当該アジにイカが喰い付いた段階で道糸にヤエン仕掛けを取り付け、道糸に沿ってヤエン仕掛けを降下させ、仕掛けに設けられた掛け針でイカを釣り上げるというものである。
係るヤエン仕掛けの改良発明を記す特許文献として特開２０００−３４２１４０号公報や登録実用新案第３０８２２９６号公報がある。ここに特開２０００−３４２１４０号公報記載の発明は、ヤエン仕掛けが降下していく段階で梶板にかかる水圧によりヤエン仕掛けは下方に移動しイカとの距離を保ち、ヤエン仕掛けが生餌に衝突した段階で螺旋環を支点として錘の力によりヤエン仕掛けがイカのほうに上昇するというものである。又実用新案第３０８２２９６号記載の考案はイカがかかった段階で道糸を引くと、道糸が道糸誘導部から外れ道糸係止部内に道糸が入り込むと共に、補助板に水圧がかかる事により道糸係止部を支点として掛け針が上昇してイカに掛け針がかかるというものである。
【特許文献１】特開２０００−３４２１４０号公報
【特許文献２】登録実用新案第３０８２２９６号公報
【考案の開示】
【考案が解決しようとする課題】
【０００３】
ヤエン釣りにおいて活餌にアオリイカが喰い付いたとしても、釣り上げることに失敗することが多い。その原因はヤエン仕掛けは道糸の下部に沿って降下するのに対し、活餌は道糸の上部にいることが多く、ヤエン仕掛けに設けた掛け針が活餌に喰い付いたアオリイカに掛かりにくい点にある。
【０００４】
そこで本考案は上述の釣り上げ失敗の原因を解消することが可能なイカ釣り用ヤエン仕掛けを提供することを目的とする。
【課題を解決するための手段】
【０００５】
上記課題を解決するために請求項１記載の考案は棒杆の後方に道糸を通すフックを設けると共に前方に掛け針を設けたイカ釣り用ヤエン仕掛けにおいて、棒杆の前方側に抵抗板を設けて構成した。又請求項２記載の考案は請求項１記載のヤエン仕掛けにおいて棒杆の前方を２本以上に枝分かれさせ構成した。更に請求項３記載の考案は請求１又は２記載のヤエン仕掛けを棒杆の中間部において屈曲可能に構成した。
【考案の効果】
【０００６】
以下、上述の如く構成される本考案が如何にして課題を解決する作用を有するかを図面を参照しながら述べる。
【０００７】
図５はヤエン仕掛け１が道糸７に沿って降下し終わった段階を示すものである。この段階では図示の如く活餌８に喰い付いたアオリイカ９とヤエン仕掛け１に設けた掛け針５との距離が大きく、このままでは掛け針５がアオリイカ９に掛かることはない。ところが係る段階に至って釣り人がリールを巻くあるいはその他の方法で道糸を引くと、本発明においては棒杆２の前方側に抵抗板６が設けられていることから当該抵抗板６に係る水圧によりヤエン仕掛け１が上方に持ち上がる。すると図６に示すように掛け針５がアオリイカ９に掛かるものである。かようにして本発明によれば活餌に喰い付いたアオリイカを容易に釣り上げることが可能となるのである。
【考案を実施するための最良の形態】
【０００８】
図面に基づいてこの発明の実施例を説明する。ヤエン仕掛け本体１は図１乃至図３に示すように棒杆２の後方側に道糸を掛けるフック３を複数立設させると共に、棒杆２の前方側に掛け針５を複数配置させるものである。更に棒杆２の前方側には抵抗板６が配置されると共に請求３記載のヤエン仕掛けにおいては図２に示すように棒杆２の中間部に屈曲可能部４が設けてある。尚、上述の前方側、後方側とは、道糸に沿って降下していく段階において先方に来る側を前方側、後方に来る側を後方側と呼んでいる。
【０００９】
棒杆２はステンレス線等の線材をもって形成されており、後端に錘１０が配置してある。又棒杆２の後方側にはステンレス等の線材を棒杆２に対して略垂直に立ち上げ、当該線材の上端部を略楕円形に屈曲させフック形態となしたフック３が複数立設されている。
【００１０】
棒杆２の前方側に設けられる抵抗板６はステンレス材等の薄板で形成されており、その形状は図示されているように略方形のほか略円形、略楕円形その他水圧を効率的に受けることが可能であれば任意の形状でかまわない。
【００１１】
掛け針５は複数本の鉤針の軸部分を結束し棒杆２に固定して成るものである。
【００１２】
請求項２記載の考案においては図３に示すように棒杆２の前方側が二股に分かれており、それぞれの棒杆２ａには掛け針５及び抵抗板６が設けてある。二股に形成するのはよりアオリイカに対して掛け針５を掛かりやすくするためである。尚、棒杆２の前方側における枝分かれの形態は二股に限定されるものではなく、二股以上であっても構わない。
【００１３】
請求項３記載の考案は棒杆２の中間部において屈曲可能部を設けてある。これにより掛け針５がアオリイカに掛かり易くなるものである。屈曲可能となる方法は図４に示すように棒杆２を前方側２ｆと後方側２ｂの二つの線材から構成し、一方を他方に回動可能に巻回するといった方法や、前方側２ｆと後方側２ｂとの間にコイルバネ等の弾性体を介在させるといった方法が考えられる。
【図面の簡単な説明】
【００１４】
【図１】ヤエン仕掛けの構成を示す斜視図。
【図２】棒杆を屈曲させた状態を示す斜視図。
【図３】棒杆を二股に形成した状態を示す斜視図。
【図４】屈曲部を示す拡大斜視図。
【図５】本考案の使用状態を示す説明図。
【図６】本考案の使用状態を示す説明図。
【符号の説明】
【００１５】
２・・棒杆      ３・・フック
４・・屈曲可能部      ５・・掛け針
６・・抵抗板
【図１】
0003134682.tif 000003
【図２】
0003134682.tif 000004
【図３】
0003134682.tif 000005
【図４】
0003134682.tif 000006
【図５】
0003134682.tif 000007
【図６】
0003134682.tif 000008
(57)【要約】      （修正有）【課題】ペットボトルの持ち運び、及び収納に関して利便性を向上する。【解決手段】収納、持ち運びにとっては無駄な空間を利用した、ペットボトルキャップ一体のフック兼グリップ２を備えたキャップ１。【選択図】図１
0003134625.tif 000002
【実用新案登録請求の範囲】
【請求項１】
収納及び持ち運びを重視して、ペットボトルの最大外形寸法とペットボトルの上部から口にかけて絞り込んだ部分との寸法差により出来る空間を、フック及びグリップの機能を持たせるスペースとして利用するように、キャップの一部をフック状に変形させた、キャップ一体型のペットボトルフック兼グリップ。
【考案の詳細な説明】
【技術分野】
【０００１】  本考案は、ペットボトルに使用するキャップに関する。
【背景技術】
【０００２】  従来のペットボトルフックやグリップは、おのおのの用途にしか使用できず、又ペットボトルに新たな部品として装着する様式や、ペットボトルの最大外形寸法を越える様式の物で大型でかさばり邪魔である。
【考案の開示】
【考案が解決しようとする課題】
【０００３】  しかし、これでは、ペットボトルの収納、持ち運び等に余計邪魔になったり、外出時に飲料水を購入する事を想定し常に持ち歩く必要がある。
【課題を解決するための手段】
【０００４】  そこで、ペットボトルの口からペットボトルの最大幅までの空間を最大限利用するように形状を工夫し、ペットボトルキャップにグリップ型のフックを設け、キャップ自体にフック及びグリップの機能を持たせ、その大きさもペットボトルに通常のキャップを装着した時の外形最大寸法内に押さえる事により収納、持ち運びに配慮する。又、飲料水メーカーが当初より装着する事によりペットボトルフックやグリップを常に持ち歩く必要が無くなる。
【考案の効果】
【０００５】  よって、本考案のペットボトルキャップにより、小型のペットボトルでは外出時に飲料水を購入し飲み残しても、気軽にズボンのポケットに、ベルトに、かばんに掛けたりして手に持つわずらわしさから解放され行動でき、大型のペットボトルでは子供でも取り扱いが容易になる。収納用具等の持ち合わせが無くても、指に掛ける等持ち方を工夫すれば、大人では片手で２、３本程度持つことが出来、又、ひも等の簡単な道具を使えば、容易に多量を運搬する事も出来る。冷蔵庫、運搬用ケース等の収納に付いても、現行のペットボトルの最大寸法を越えないため、従来通りの収納が可能である。
【考案を実施するための最良の形態】
【０００６】  本考案に係るペットボトルキャップは、図４の４に示す範囲の空間を最大限に有効利用するように形状を工夫したものであり、図１のペットボトルキャップ１のごとく、ペットボトルキャップの頂部より張り出し、ペットボトルの最大幅以内の位置より下に伸びるフック兼グリップ２を備えその機能を確保すると共に収納持ち運びにも配慮する。キャップ１とフック兼グリップ２は一体成型とし、フック兼グリップ上部は強度を考慮して肉厚とするが、側面は急激な衝撃を受けた場合外れやすくするために、極力薄くする。又、その縦方向の長さはフックとしてポケット等に挟んだ時落ちにくくする事とグリップの機能を考慮し出来るだけ長めとし、横方向の長さも指、その他の物等に掛ける事を想定し、ペットボトルの最大幅以内できる限り長めとする。フックの幅は、指に掛ける事を考慮しある程度幅を持たせる。素材は従来のペットボトルキャップと同等とする。
【図面の簡単な説明】
【０００７】
【図１】  本考案に係るペットボトルキャップを装着したペットボトルの正面図である。
【図２】  本考案に係るペットボトルキャップの平面図である。
【図３】  本考案に係るペットボトルキャップの側面図である。
【図４】  本考案に係るペットボトルキャップの利用空間の図である。
【符号の説明】
【０００８】  １      キャップ
２      フック兼グリップ
３      ペットボトル
４      利用空間
【図１】
0003134625.tif 000003
【図２】
0003134625.tif 000004
【図３】
0003134625.tif 000005
【図４】
0003134625.tif 000006
(57)【要約】      （修正有）【課題】電工ペンチの本体にモンキーレンチとパイプレンチをつけた建設用作業工具を提供する。【解決手段】電工ペンチ１のにぎり部の左末端外側にモンキーレンチ２を取り付け、電工ペンチ１のにぎり部の両内側にパイプレンチ３の部材を取り付け一体化する。これにより、番線や電線などの挟む、捻る、切る、曲げる、引っ張る、締め付け、及び、緩めるなどの本来の電工ペンチの作業を行なうことができるとともに、モンキーレンチのナットとボルトの締める、緩めるなどの働き、パイプレンチのパイプや蓋などの掴み、締める、緩める働きを兼ねそろえることができる。モンキーレンチの内側と電工ペンチの右にぎり部に電工ペンチの開き防止金具を、また、モンキーレンチと電工ペンチの左にぎり部の接する箇所付近に落下防止用ストラップ穴を設ける。【選択図】図１
0003134624.tif 000002
【実用新案登録請求の範囲】
【請求項１】
挟む、捻る、切る、曲げる、引っ張るなどの多くの作業が可能な電工ペンチにおいて、電工ペンチのにぎり部の末端外側にモンキーレンチの部材を、また、電工ペンチのにぎり部の両内側にパイプレンチの部材を一体化することにより、非常に便利なモンキーレンチ付きパイプレンチ付き電工ペンチ。
【請求項２】
電工ペンチのにぎり部の末端外側にモンキーレンチの部材を取り付けることにより、モンキーレンチの重量配分により、電工ペンチのにぎり部の開閉を、常に軽くスムースに行なうことができ、電工ペンチおよびパイプレンチの働きを連続して行なうことができ、疲れにくく快適に作業が出来るモンキーレンチ付きパイプレンチ付き電工ペンチ。
【請求項３】
電工ペンチの柄の開き防止金具を付けることによって、モンキーレンチよる強固な締め付け、緩めたりする作業が手を挟む等の心配もなくより安全に、より効率よく作業が出来る請求項１の記載のモンキーレンチ付きパイプレンチ付き電工ペンチ。
【考案の詳細な説明】
【技術分野】
【０００１】  本考案は、複数の機能を備えた作業工具であり、具体的には、モンキーレンチとパイプレンチを取り付けた電工ペンチに関するものである。
【背景技術】
【０００２】  電気工事用作業工具は、一つの工具で一工程の作業をするようになっているものが多いが、現実の作業現場では、複数の作業を連続して行なう場合も多い。そのため、複数の機能を一つの工具としてまとめた多機能工具も開発されており、これらは作業者の携帯に便利なだけでなく、例えば、高所作業での工具の落下事故の減少にも有効である。
【考案の開示】
【考案が解決しようとする課題】
【０００３】  本考案の課題は、安全性に優れ、一連の高所における作業で、作業の流れがスムーズに流れる、モンキーレンチとパイプレンチを一体化した電工ペンチを提供することにある。
【課題を解決しようとする手段】
【０００４】  本考案で、請求項１に記載された考案は、電工ペンチにモンキーレンチとパイプレンチを一体化することにより、強固な締め付けなどが可能になったモンキーレンチとパイプレンチを取り付けた電工ペンチである。
【考案の効果】
【０００５】  本考案の、モンキーレンチとパイプレンチとを取り付けた電工ペンチは、従来の工具に比べて、作業員が安全に携帯ができ、特に、力点が片方に固まっているので、持ち換える等の必要がないので片手で、電線を切る、パイプを締め付けるなどの一連の作業に無駄な動きがなく、便利である。
【考案を実施するための最良の形態】
【０００６】  本考察においては、モンキーレンチ部を力点側に付ける事により、作業の効率をよくし作業の流れがスムーズに流れ、また、挟む、捻る、切る、曲げる、引っ張るなどの作業により、より確実な締め付けが可能となる。一方、請求項３に記載された考察は、作用点に開き防止金具を付ける事により、手を挟む等の心配がなくなり、モンキーレンチ部による強固な締め付け作業がより効率的になる。
【実施例】
【０００７】  図１は、本考察のモンキーレンチ付きパイプレンチ付き電工ペンチの図面であり、ペンチのにぎり部の左末端外側にモンキーレンチの部材が、パイプレンチ部材はペンチのにぎり部両内側に付き、それには、ペンチの開き防止のための金具と、落下防止工具用ストラップの穴がモンキーレンチの部材にある。
【産業上の利用可能性】
【０００８】  電気工事や、土木、建築建設現場などでの番線、針金、ボルトナット、パイプなどの挟む、捻る、切る、曲げる、引っ張る、締め付け、及び、緩めの作業に適します。
【図面の簡単な説明】
【０００９】
【図１】本考案の、モンキーレンチ付きパイプレンチ付き電工ペンチの実施例を示す正面図である。
【図２】本考案の、モンキーレンチ付きパイプレンチ付き電工ペンチのにぎり部の両内側のパイプレンチのパイプの締め付け、及び、緩めの作業の実施案を示す正面図である。
【図３】図１における、開き防止金具のＡ−Ａの断面図である。
【符号の説明】
【００１１】  １  電工ペンチ
２  モンキーレンチ
３  パイプレンチ
４  開き防止金具
５  落下防止用ストラップ穴
【図１】
0003134624.tif 000003
【図２】
0003134624.tif 000004
【図３】
0003134624.tif 000005
(57)【要約】      （修正有）【課題】コンベックスルールを一連の作業で使う時は巻尺の目盛を読み，記録あるいは記憶する必要がなく、この数値を他の物体に転記できる。物体と物体との空間の距離は他の媒体なしで計測出来る。【解決手段】図１において角ａ（９）、角ｂ（１０）を鋭利な角としたおかげで、普通の物体の長さを計測した場合は巻尺のフック（４）から角ａ（９）迄の長さを、物体と物体との空間の場合は巻尺のフック（４）から角ｂ（１０）迄の長さとなるのでこれを巻尺のストッパーで固定し、それぞれの角ａ（９）角ｂ（１０）が接する転記対象物である物体ａ（１１ａ）を筆記用具でなぞることが出来る。これにより物体への転記は巻尺の数値を読み、記録、記憶することなしに、より正確に転記出来る。【選択図】図１
0003134630.tif 000002
【実用新案登録請求の範囲】
【請求項１】
引き出した巻尺の裏側に近い面を引き出した巻尺と平行でなおかつ平面とし、この面の両側に角を設けこの２つの角の角度を直角で更にアールの無い鋭利な角とし、巻尺の引き出し口の向かい側の面も平面にした、巻尺のストッパー付きのコンベックスルール。
【考案の詳細な説明】
【技術分野】
【０００１】  本考案は本来の機能に併せて、巻尺をストッパーで固定してそのままの長さを他の物体に転記、更に物体と物体間の計測が直接可能となり従来のように何らかの媒体を必要としないコンベックスルールに関するものである。
【背景技術】
【０００２】  物体を計側してその数値を記録保存の目的で使用するのであれば従来のコンベックスルールで充分なのだが、巻尺の目盛を読み、記録あるいは記憶し、この数値を他の物体に転記する作業を繰り返し行うとなると手間も掛かり煩雑である。しかも最小目盛と合致しない場合は勘に頼るしかなく、更に物体と物体との空間の長さは計測出来ない。
【考案の開示】
【考案が解決しようとする課題】
【０００３】  物体を測定した時にその値を読み、記録あるいは記憶する必要がなく他の物体に転記出来、さらに物体と物体との空間の距離も測定、転記可能とする。
【課題を解決するための手段】
【０００４】  引き出した巻尺の裏側に近い面を引き出した巻尺と平行でなおかつ平面とし、この面の両側に角を設けこの２つの角の角度を直角で更にアールの無い鋭利な角とし、巻尺の引き出し口の向かい側の面も平面にした、巻尺のストッパー付きのコンベックスルール。
【考案の効果】
【０００５】  本考案はコンベックスルール本来の機能に併せて、巻尺をストッパーで固定してそのままの長さを他の物体に転記するので測定値を記録、あるいは記憶する必要が無い。測定された長さを確実に転記出来、勘違い読み違いなどの間違い事故もない。従って作業時間の短縮が計れ、間違いに因る資材の損失がないなど考案の効果は大きい。しかも従来不可能であった物体と物体との空間の長さも測定出来、同じように転記出来る。
【考案を実施するための最良の形態】
【０００６】  普通の物体の長さを測定する時は測定する物体の片方に巻尺のフックを掛け、もう一方は巻尺の引き出し口の有る面の、巻尺の裏側の本体部分と測定する物体のもう片方と接したところで巻尺のストッパーを作用させて巻尺を固定する。【０００７】  物体と物体との空間を測定する時は片方の物体に巻尺のフックを、もう一方の物体にコンベックスルールの巻尺の引き出し口の向かい側の面を密着させ巻尺を張り巻尺のストッパーを作用させて巻尺を固定する。
【実施例】
【０００８】  以下添付図面に従って実施例を説明する。図２は本考案のコンベックスルール（１）の斜視図である。図３は物体ｂ（１１ｂ）の長さを測るための形態を示す側面図で、その長さは巻尺のフック（４）からコンベックスルール（１）の面ｂ（７）の巻尺（３）の下部迄となり、これらが接しところで巻尺のストッパー（２）を作用しこの長さを固定する。【０００９】  図４は物体と物体との空間を測るための形態を示す側図面で、その長さは物体ｃ（１１ｃ）に接する巻尺のフック（４）から物体ｄ（１１ｄ）が接するコンベックスルール（１）の面ｃ（８）の角ｂ（１０）迄となり巻尺のストッパー（２）を作用してこの長さを固定する【００１０】  図１は物体ａ（１１ａ）に測定値を転記するための形態を示す側図面で、転記するための対象物体ａ（１１ａ）の片方に巻尺のフック（４）を掛け、長さを測定した時の転記は面ａ（６）の片方の面ａ（７）の角ａ（９）を、一方空間を測定した時の長さを転記する時は面ｃ（８）の角ｂ（１０）に接した転記対象である物体ａ（１１ａ）をそれぞれ筆記用具でなぞる。
【図面の簡単な説明】
【００１１】
【図１】  測定値を転記するための実施例を示す側図面である。
【図２】  本考案コンベックスルールの斜視図である
【図３】  物体を測るための実施例を示す側図面である。
【図４】  物体と物体との空間を測るための実施例を示す側図面である。
【符号の説明】
１    コンベックスルール
２    巻尺のストッパー
３    巻尺
４    巻尺のフック
５    巻尺の引き出し口
６    面ａ
７    面ｂ
８    面ｃ
９    角ａ
１０    角ｂ
１１ａ  物体ａの断面図
１１ｂ  物体ｂの断面図
１１ｃ  物体ｃの断面図
１１ｄ  物体ｄの断面図
【図１】
0003134630.tif 000003
【図２】
0003134630.tif 000004
【図３】
0003134630.tif 000005
【図４】
0003134630.tif 000006
(57)【要約】  【課題】LEDなどで光るコースターにおいて、コースター自体の発光による装飾的価値を高めることを課題とする。  【解決手段】コースターとして、透明な部材により形成された板体からなる載置板１０と、前記載置板１０の上面もしくは外縁に一体に固定される透明な部材により形成されたリング体であって、周方向に対して交わる方向に形成される複数のスリット２１が表面に形成される装飾体２０と、前記載置板内部もしくは下面に設けられる発光体３０とを設ける。【選択図】  図１
0003134621.tif 000002
【実用新案登録請求の範囲】
【請求項１】
透明な部材により形成された板体からなる載置板と、
前記載置板の上面もしくは外縁に一体に固定される透明な部材により形成されたリング体であって、周方向に対して交わる方向に形成される複数のスリットが表面に形成される装飾体と
前記載置板内部もしくは下面に設けられる発光体と
からなるコースター。
【請求項２】
前記載置板の表面もしくは裏面に図柄が描かれた請求項１に記載のコースター。
【考案の詳細な説明】
【技術分野】
【０００１】
本考案は、グラスなどの底に敷くコースターに関し、特に、発光するものに関する。
【背景技術】
【０００２】
コースターは、一般的にコルクや紙、布などで形成されるが、近年、装飾的価値を高めるために透明な合成樹脂の載置板の下にLEDなどの発光体を設けて、コースターを発光させることが行われるようになっている。このような発光するコースターは、透明なグラスをコースターに載置するとグラス内も発光させることができ装飾的効果を高めることができる。
【考案の開示】
【考案が解決しようとする課題】
【０００３】
ところで、このような発光するコースターは、グラス内を光らせることが主な目的であることが多く、コースターそのものの発光はおざなりであり、コースターにグラスを置いた場合コースター自体の発光はグラスの下から均一な光が漏れ出る程度である。しかし、グラス内の発光とともに、コースター自身の発光も乱反射させるなどの装飾的効果を加えると、視覚的価値をより高めることができると考えられる。
本考案は、かかる事情に鑑みて、光るコースターにおいて、コースター自体の発光による装飾的価値を高めることを課題とする。
【課題を解決するための手段】
【０００４】
上記課題を解決するために、本考案は次のような構成を有する。
請求項１に記載の考案は、透明な部材により形成された板体からなる載置板と、前記載置板の上面もしくは外縁に一体に固定される透明な部材により形成されたリング体であって、周方向に対して交わる方向に形成される複数のスリットが表面に形成される装飾体と前記載置板内部もしくは下面に設けられる発光体とからなるコースターである。
請求項２に記載の考案は、前記コースターにおいて、記載置板の表面もしくは裏面に図柄が描かれたものである。
【考案の効果】
【０００５】
請求項１に記載の考案は、載置板の上面もしくは外縁に設けられる透明リングに複数のスリットが形成されることにより、透明リングのスリット部分で光が乱反射することで、グラスの下でコースター部分も変化をもって光ることで装飾効果を高めることができる。
請求項２に記載の考案は、載置板の上面もしくは裏面に図柄が描かれることで、コースターの上に何も載置しない状態でも図柄が浮き出るようにコースターの載置面が発光するので、コースター単独で高い装飾効果を奏することができる。
【考案を実施するための最良の形態】
【０００６】
以下、本考案の実施形態について、図を参照しながら説明する。
図１に本実施形態に係るコースターＸの斜視図を示し、図２に図１のＡ−Ａ端面図を示す。コースターＸは、透明アクリル製の円板により形成される載置板１０と、載置板１０の外径とほぼ同じ外径を有する透明アクリル製の円形リングからなる装飾体２０と、これらを発光させるためのＬＥＤ３０とから構成される。
載置板１０の表面には、図柄１１が刻印されている。また、載置板１０の側面には、ＬＥＤ３０を挿入するための開口１２が形成されている。
装飾体２０は載置板１０の上面に接着固定されている。装飾体２０の上面側には、細い幅のスリット２１がリングに沿って形成されている。スリットは外周方向にほぼ直角に形成される。
LED３０は複数色の発光が可能な３色LEDであり、図示しない駆動装置により所定のパターンで発光するように制御される。駆動装置には、スイッチのほか、光センサーが設けられており、周りが明るい場合はスイッチを入れてもLEDは光らないように設定されている。
【０００７】
以上のような構成を有するコースターＸは、所定パターンで色を変化させながら発光し、使用者が飲料の入ったグラスの底部を装飾体２０に囲まれた載置板１０の上に載置すると、グラス内が種々の色で発光することとなる。そして、装飾体２０にはスリット２１が刻まれているので、スリット２１部分で光が乱反射し、グラス底部の周囲で装飾体２１が発光し装飾効果を高めることができる。また、グラスをコースターＸから持ち上げると、載置板１０表面が表れるが、この部分も発光しているとともに、図柄１１が描かれているので、図柄１１が照らされて際立つこととなり、グラスを取り去った後も装飾効果が高い。
【０００８】
なお、上記実施形態では、ＬＥＤ３０の駆動装置を外部に設けたが、これは載置板１０の下などに一体に固定するようにしてもよい。また、ＬＥＤ３０の位置も、側面の他、底部から光らせるようにしてもよい。さらに、図柄は、ここでは刻印しているが、塗装やシートの貼り付けなどにより図柄を描いてもよく、描く場所は表面のほか裏面に描いても良い。また、装飾体２０に形成されるスリット２１の幅、数、位置、スリットが形成されるう方向は適宜変更することができる。
【図面の簡単な説明】
【０００９】
【図１】実施形態に係るコースターの斜視図である。
【図２】図１のＡ−Ａ端面図である。
【符号の説明】
【００１０】
Ｘ    コースター
１０    載置板
１１    図柄
２０    装飾体
２１    スリット
３０    ＬＥＤ
【図１】
0003134621.tif 000003
【図２】
0003134621.tif 000004
【手続補正書】
【提出日】平成19年6月4日(2007.6.4)
【手続補正１】
【補正対象書類名】図面
【補正対象項目名】図１
【補正方法】変更
【補正の内容】
【図１】
0003134621.tif 000005